(57)【要約】【課題】厚板を折曲げ対象とするダイにおいて、パンチと直接当接して原点位置決めを行うことのできるダイを提供する。【解決手段】ダイ本体３に備えたＶ溝９の上部に、板状のワークＷの折曲げ加工時にワークＷと接触する傾斜した円滑なワーク接触面１１Ａ，１１Ｂを前記Ｖ溝９内に突出して備えたダイ１であって、前記Ｖ溝９の底部に、パンチ先端を当接するためのＶ字形状のパンチ先端当接面１５を備え、このパンチ先端当接面１５における傾斜面１５Ａ，１５Ｂは、前記ワーク接触面１１Ａ，１１Ｂと同一平面の傾斜面１７Ａ，１７Ｂに形成してあり、前記ワーク接触面１１Ａ，１１Ｂの硬度よりも前記パンチ先端当接面１５の硬度を小さくしてあり、前記ワーク接触面１１Ａ，１１Ｂの幅寸法よりも前記パンチ先端当接面１５における傾斜面１５Ａ，１５Ｂの幅寸法を小さく形成してある。【選択図】図１
2010201463.tif 000002
【特許請求の範囲】
【請求項１】
ダイ本体に備えたＶ溝の上部に、板状のワークの折曲げ加工時にワークと接触する傾斜した円滑なワーク接触面を前記Ｖ溝内に突出して備えたダイであって、前記Ｖ溝の底部に、パンチ先端を当接するためのＶ字形状のパンチ先端当接面を備え、このパンチ先端当接面における傾斜面は、前記ワーク接触面と同一平面の傾斜面に形成してあることを特徴とするダイ。
【請求項２】
請求項１に記載のダイであって、前記ワーク接触面の硬度よりも前記パンチ先端当接面の硬度を小さくしてあることを特徴とするダイ。
【請求項３】
請求項１又は２に記載のダイであって、前記ワーク接触面の幅寸法よりも前記パンチ先端当接面における傾斜面の幅寸法を小さく形成してあることを特徴とするダイ。
【発明の詳細な説明】
【技術分野】
【０００１】
本発明はダイに係り、さらに詳細には、板厚が３．０ｍｍ〜１２．０ｍｍ程度の厚板を折曲げ対象とするダイであって、ダイ本体に備えたＶ溝の底部に、上下の金型（パンチ，ダイ）の原点位置決め時に、パンチの先端部を当接するためのパンチ先端当接面を備えたダイに関する。
【背景技術】
【０００２】
上下の金型（パンチ，ダイ）を備えたプレスブレーキによって板状のワークの折曲げ加工を行うとき、ダイに備えたＶ溝に対するワークの押し込み量を検知するために、ダイに対するパンチの相対的な位置の検出が行われている。ところで、ダイ上に載置したワークの上面にパンチ下端部が当接したことを検知し、この当接位置を基準としてダイのＶ溝に対するワークの押し込みを行ってワークの折曲げ加工を行う場合がある。プレスブレーキによるワークの折曲げ加工においては、プレスブレーキのフレームの撓みを考慮しなければならないので、より正確な折曲げ加工を行うには、ダイに対するパンチの相対的な位置を制御するために、プレスブレーキにおけるフレームの撓み（歪み）を考慮してパンチ，ダイの原点位置を予め設定する必要がある。
【０００３】
そこで、パンチとダイとを係合した状態において加圧し、プレスブレーキのフレームに予め所定の撓み（歪み）を生じさせた状態でのパンチ，ダイの係合位置をパンチ，ダイの原点位置とすることが行われている。ところが、上記方法は、折曲げ対象とする板状のワークが薄い場合（３．０ｍｍ以下の板材）に使用するパンチ，ダイの場合である。薄板を折曲げ対象とするダイにおけるＶ溝の傾斜面は全面に亘って研削加工してあるものの、厚板を折曲げ対象とするダイは、ダイ自体が大型化することは勿論のこと、Ｖ溝の加工精度向上及び加工の容易性等を考慮して、Ｖ溝の上部に円滑なワーク当接面を備えた構成であって、このワーク当接面の下側には逃げが形成してある。したがって、上記ダイにおけるＶ溝の底部へパンチの先端を係合して原点位置を設定することはできないものであった。
【０００４】
しかし、プレスブレーキのＮＣ化が進むにつれて上下の金型を係合しての原点位置の設定が必要であるので、原点位置設定用の治具が提案されている（例えば特許文献１参照）。
【先行技術文献】
【特許文献】
【０００５】
【特許文献１】実開昭５７−１８９６１８号公報
【発明の概要】
【発明が解決しようとする課題】
【０００６】
上記特許文献１に記載の構成は、上面に小さなＶ溝を備えた治具を、厚板を対象とするダイにおけるＶ溝に係合し、このダイのＶ溝の底部と前記治具のＶ溝の底部とが同一の垂直面に一致するように設定し、この治具のＶ溝にパンチ先端を係合し、この係合した位置を仮原点として補正を行うものである。したがって、治具の管理が厄介であると共に、補正が厄介であるという問題がある。
【課題を解決するための手段】
【０００７】
本発明は、前述のごとき従来の問題に鑑みてなされたもので、ダイ本体に備えたＶ溝の上部に、板状のワークの折曲げ加工時にワークと接触する傾斜した円滑なワーク接触面を前記Ｖ溝内に突出して備えたダイであって、前記Ｖ溝の底部に、パンチ先端を当接するためのＶ字形状のパンチ先端当接面を備え、このパンチ先端当接面における傾斜面は、前記ワーク接触面と同一平面の傾斜面に形成してあることを特徴とするものである。
【０００８】
また、前記ダイであって、前記ワーク接触面の硬度よりも前記パンチ先端当接面の硬度を小さくしてあることを特徴とするものである。
【０００９】
また、前記ダイであって、前記ワーク接触面の幅寸法よりも前記パンチ先端当接面における傾斜面の幅寸法を小さく形成してあることを特徴とするものである。
【発明の効果】
【００１０】
本発明によれば、ダイ本体におけるＶ溝の底部に備えたパンチ先端当接面にパンチ先端を直接当接して原点位置の設定を行うことができる。したがって、前述したごとき従来の問題を解消することができるものである。
【図面の簡単な説明】
【００１１】
【図１】本発明の実施形態に係るダイ及び当該ダイとパンチとの係合状態を示す説明図である。
【発明を実施するための形態】
【００１２】
図１を参照するに、本発明の実施形態に係るダイ１は、プレスブレーキにおける下部テーブル（図示省略）に装着して厚板の折曲げ加工に使用されるものであって、ダイ本体３を備えている。上記ダイ本体３の下面には、プレスブレーキにおける下部テーブル又は下部テーブルに取付けたダイ支持部材（図示省略）への取付部５を備えており、上面には厚板であるワークＷを載置支持する上面７が水平に形成してある。また、前記ダイ本体３の上面には、パンチＰと協働して前記ワークＷをＶ字形状に折曲げるためのＶ溝９が形成してある。
【００１３】
前記Ｖ溝９の上部には、前記ワークＷの折曲げ加工時にワークＷと接触する傾斜した円滑な一対のワーク接触面１１Ａ，１１Ｂが対称形に形成してある。上記ワーク接触面１１Ａ，１１Ｂの上縁は前記上面７に接続してある。そして、上記ワーク接触面１１Ａ，１１Ｂの下側すなわちＶ溝９の底部側には、ワーク接触面１１Ａ，１１Ｂの下縁に接続して窪んだ逃げ部１３がそれぞれ形成してある。したがって、前記ワーク接触面１１Ａ，１１Ｂは、逃げ部１３を形成したことにより、Ｖ溝９内へ相対的に突出した形態である。
【００１４】
前記Ｖ溝９の底部には、パンチＰの先端を直接当接するためのパンチ先端当接面１５をＶ字形状に形成してある。このパンチ先端当接面１５の一方の傾斜面１５Ａは、前記一方のワーク接触面１１Ａと同一平面１７Ａの傾斜面に形成してあり、他方の傾斜面１５Ｂは、前記他方のワーク接触面１１Ｂと同一平面１７Ｂの傾斜面に形成してある。
【００１５】
そして、前記ワーク接触面１１Ａ，１１Ｂは耐摩耗性の向上を図るために焼入れなどの表面処理が行われており、このワーク接触面１１Ａ，１１Ｂの硬度は前記パンチ先端当接面１５の硬度よりも大きくしてある。上記ワーク接触面１１Ａ，１１Ｂ及びパンチ先端当接面（傾斜面１５Ａ，１５Ｂを含む面）１５はそれぞれ研削加工によって円滑な傾斜面に形成してある。そして、上記研削加工時の研削加工が容易であるように、またワークＷとの接触面積が大きくなるように、前記ワーク接触面１１Ａ，１１Ｂの傾斜方向の幅寸法は、前記パンチ先端当接面１５における傾斜面１５Ａ，１５Ｂの傾斜方向の幅寸法よりも大きく形成してある。
【００１６】
上記構成により、プレスブレーキにおける上部テーブルにパンチＰを装着し、かつ下部テーブルにダイ本体３を装着して厚板（３．０ｍｍ〜１２．０ｍｍの板材）の折曲げ加工を行うに先立って、パンチＰの先端部（下端部）を、ダイ本体３におけるＶ溝９の底部に備えたＶ字形状のパンチ先端当接面１５に直接当接係合し、原点位置決めを行うときの所定の加圧力でもって加圧した状態に保持し、この状態において、例えばリニアエンコーダなどのごとき適宜の位置検出装置によって、ダイ１に対するパンチＰの相対的な位置を検知することにより、パンチＰとダイ１とを係合し加圧した状態での原点位置決めを行うことができるものである。
【００１７】
前記説明より理解されるように、ダイ本体３におけるＶ溝９の底部に備えたＶ字形状のパンチ先端当接面１５に対してパンチＰの先端部を直接当接して原点位置決めを行うものであるから、例えばパンチＰの先端部の形状が異なる場合であっても容易に対応して原点位置決めを行うことができるものである。
【００１８】
また、前記ダイ本体３において、Ｖ溝９の底部に形成したＶ字形状のパンチ先端当接面１５の硬度よりも、Ｖ溝９の上部に形成したワーク接触面１１Ａ，１１Ｂの硬度を大きくしてあるから、例えばダイ本体３の母材として予め硬度を調質した調質材を使用する場合、前記ワーク接触面１１Ａ，１１Ｂの部分のみの焼入れ等の処理を行えばよいこととなり、その製造が容易なものである。
【００１９】
また、ワーク接触面１１Ａ，１１Ｂとパンチ先端当接面１５の各傾斜面１５Ａ，１５Ｂは同一の傾斜した平面１７Ａ，１７Ｂにあり、しかもワーク接触面１１Ａ，１１Ｂの傾斜方向の幅寸法よりも、パンチ先端当接面１５の各傾斜面１５Ａ，１５Ｂの傾斜方向の幅寸法が小さく形成してある。したがって、例えばそろばんの玉状の回転研削工具によってワーク接触面１１Ａ，１１Ｂ及びパンチ先端当接面１５の各傾斜面１５Ａ，１５Ｂを同時に研削加工するとき、傾斜した平面１７Ａ，１７Ｂの全面の研削を行う場合よりも負荷が小さいことは勿論のこと、前記研削工具の回転軸心からの径が大きくかつ次第に薄肉になる部分での研削負荷を小さく抑制することができるものである。
【符号の説明】
【００２０】
１    ダイ
３    ダイ本体
５    取付部
７    上面
９    Ｖ溝
１１Ａ，１１Ｂ    ワーク接触面
１３    逃げ部
１５    パンチ先端当接面
１５Ａ，１５Ｂ    傾斜面
１７Ａ，１７Ｂ    平面
【図１】
2010201463.tif 000003